(57)【要約】  本発明は、サイドミラーおよび自動車ガラス用空気システムに組み入れられる技術的機構を対象とする。本発明の目的は、サイドミラーおよび自動車ガラス用の、ならびに、他の同様の物品用の今までにない多用途の洗浄および曇り取りシステムを対象とする。当該システムは、自然空気または圧縮空気のジェットによって、自動車両のサイドミラーおよびガラスから曇りを除去し、かつ、水滴を取り除く。本発明の装置は、電気モータ、管、および、（フレキシブル）金属またはプラスチックノズルを含む。サイドミラー組立体内部に、または、車両内部に、モータを収容することができる。（フレキシブル金属またはプラスチック材料からできた）管は、モータに連結され、ミラーの周りに配置されるか、ガラスの場合、当該管は、ガラスが固定されるフレームに固定される。空気は、（管の終端に、かつ、ミラーおよび／またはガラスに近接して設置された）ノズルを通って流れる。空気ジェットを作動させると、水滴が分散され、それによって運転者の可視性が改善される。この、サイドミラーおよび自動車ガラス用空気システムが２つの構成を有することに留意すべきである。この２つの構成のうちの１つは自家用車のためのもので、電気モータによって動作し、もう１つの構成はトラックのためのもので、既に利用可能な圧縮空気を使用するが、両方の場合において、優れた成果が保証される。その結果、実際的にあらゆる自動車両のサイドミラーおよび自動車ガラスにおいて曇りを除去すること、ならびに、たまった水を取り除くことに関連する問題全てを解決することになる非常に実際的な製品が開発されている。当該製品は、非常に簡易な装置であるため、設置も非常に容易である。【特許請求の範囲】
【請求項１】
サイドミラーおよび自動車ガラス用の、ならびに、他の同様の物品用の今までにない多用途の洗浄および曇り取りシステムであって、自然空気または圧縮空気のジェットによって、自動車両のサイドミラーおよびガラスから曇りを除去し、かつ、水滴を取り除く洗浄および曇り取りシステムを含み、また、電気モータと、管と、（フレキシブル）金属またはプラスチックノズルとを含む、サイドミラーおよび自動車ガラス用空気システムに組み入れられる技術的機構。
【請求項２】
前記モータは、サイドミラー組立体内部に、または、前記車両内部に収容可能であり、（フレキシブル金属またはプラスチック材料からできた）前記管は前記モータに連結され、前記ミラーおよびガラスの周りに配置され、前記空気は、（前記管の終端に、かつ、前記ミラーおよび／または前記ガラスに近接して設置された）ノズルを通して放出され、空気ジェットを作動させると、前記水滴が分散され、それによって運転者の可視性が改善される、請求項１に記載のサイドミラーおよび自動車ガラス用空気システムに組み入れられる技術的機構。
【請求項３】
サイドミラーおよびガラス表面用の前記空気システムは、２つの構成であって、１つが自家用車のためのもので、電気モータによって動作し、もう１つがトラックのためのもので、前記トラックでは既に利用可能な前記圧縮空気を使用するが、両方の場合において、優れた成果が保証される、２つの構成を含む、請求項１または２に記載のサイドミラーおよび自動車ガラス用空気システムに組み入れられる技術的機構。
【発明の詳細な説明】
【技術分野】
【０００１】
本発明は、サイドミラーおよび自動車ガラス用空気システムに組み入れられる技術的機構を対象とする。本発明の目的は、サイドミラーおよび自動車ガラス用の、ならびに、他の同様の物品用の今までにない多用途の洗浄および曇り取りシステムを対象とする。当該システムは、自然空気または圧縮空気のジェットによって、自動車両のサイドミラーおよびガラスから曇りを除去し、かつ、水滴を取り除く。本発明の装置は、電気モータ、管、および、フレキシブル金属またはプラスチックノズルを含む。サイドミラー組立体内部に、または、車両内部に、モータを収容することができる。（フレキシブル金属またはプラスチック材料からできた）管は、モータに連結され、ミラーの周りに配置されるか、ガラスの場合、当該管は、ガラスが固定されるフレームに据え付けられる。空気は、（管の終端に、かつ、ミラーおよび／またはガラスに近接して設置された）ノズルを通って流れる。空気ジェットを作動させると、水滴が分散され、それによって運転者の可視性が改善される。
【０００２】
この、サイドミラーおよび自動車ガラス用空気システムが２つの構成を有することに留意すべきである。この２つの構成のうちの１つは自家用車のためのもので、電気モータによって動作し、もう１つの構成はトラックのためのもので、既に利用可能な圧縮空気を使用するが、両方の場合において、優れた成果が保証される。
【０００３】
その結果、実際的にあらゆる自動車両のサイドミラーおよび自動車ガラスにおいて曇りを除去すること、ならびに、たまった水を取り除くことに関連する問題全てを解決することになる非常に実際的な製品が開発されている。当該製品は、非常に簡易な装置であるため、設置も非常に容易である。
【背景技術】
【０００４】
自動車両の自動車ガラス、バックミラーおよびサイドミラーにおける曇りは、特に、雨、曇りまたは雪の日など、そのような機会には、自動車の窓は通常閉められるため、非常に頻繁に起こり不便であり、空気循環システムが効率的でない時は、ほとんどの自家用車の場合に当てはまるように、このような状況が特に悪化する。
【０００５】
車両の内側部分に関する限りでは、いくつかの最新モデルには、特に、そういった状態に最も陥る物品である自動車ガラス用の曇り除去装置が組み入れられている。
【０００６】
現在の技術水準では、サイドミラーによって使用可能であり、簡易かつ実際的な方法で、特に悪天候下で、確実に曇りを除去しかつたまった水を取り除くことを確実にするような、曇りを除去しかつ水滴を取り除くための適切な装置はない。
【０００７】
従って、本発明は、上述した利点を含む、曇りを除去しかつたまった水を取り除くための装置を提供することを意図するものである。当該装置は、サイドミラーに迅速かつ容易に設置することも可能であり、主にその効率性を特徴とする。
【発明の概要】
【発明が解決しようとする課題】
【０００８】
それ自体の名称が示すように、サイドミラーおよび自動車ガラス用空気システムに組み入れられる技術的機構の範囲は、一般に、自動車両のサイドミラーおよび自動車ガラスにおいて曇りを除去すること、および、たまった水滴を取り除くことを対象とする。
【０００９】
この、サイドミラーおよび自動車ガラス用空気システムに組み入れられる技術的機構の主要な目的のうちの１つは、圧縮または自然空気ジェットの作用によって、サイドミラーおよび自動車ガラスにおいてたまった蒸気および水滴全てを完全に分散させることである。このことは、可視性を著しく増加させ、それゆえに死亡事故が回避されるため、雨の日または荒天の際に理想的であり、かつ、非常に便利である。
【発明の効果】
【００１０】
サイドミラーおよび自動車ガラス用空気システム、ならびに、組み入れられるその技術的機構は、市場に現存する製品と比較した場合、以下の利点：
−自動車両のサイドミラーおよび自動車ガラスの曇りを除去しかつ水滴を取り除くこと、
−サイドミラーおよび自動車ガラスにおける容易かつ迅速な設置、
を表す。
【００１１】
この実用新案の目的である、サイドミラーおよび自動車ガラス用空気システムに組み入れられる技術的機構の完全かつ広範な観点を提供するために、以下のような一連の図面が添付されている。
【図面の簡単な説明】
【００１２】
【図１】サイドミラーおよび自動車ガラス用空気システムの透視図である。
【発明を実施するための形態】
【００１３】
本明細書の不可欠な部分である添付図面から分かるように、サイドミラーおよび自動車ガラス用空気システムに適用される機構は、サイドミラーおよび自動車ガラス用の、ならびに、他の同様の物品用の今までにない多用途の洗浄および曇り取りシステムを対象とする。当該システムは、自然空気または圧縮空気のジェットによって、自動車両のサイドミラーおよびガラスから曇りを除去し、かつ、水滴を取り除く。本発明の装置は、電気モータ、管１、および、フレキシブル金属またはプラスチックノズル２を含む。サイドミラー組立体内部に、または、車両内部に、モータを収容することができる。（フレキシブル金属またはプラスチック材料からできた）管は、モータに連結され、ミラーの周りに配置される。空気は、（管の終端に、かつ、ミラーに近接して設置された）ノズルを通って流れる。空気ジェットを作動させると、水滴が分散され、それによって運転者の可視性が改善される。
【００１４】
自動車両の残りのガラス表面に関する限りでは、装置は横／縦フレームにおいて設置されることになる（そうすることで、当該ガラス表面の曇りを除去し、自然空気または圧縮空気のジェットによって水滴が取り除かれる）。サイドミラーに使用される同じモータを自動車ガラスにも使用する。空気は、横／縦フレームにおいて管の終端に設置されたノズルを通って流れる。空気ジェットを作動させると、水滴が分散され、それによって運転者の可視性が改善される。
【００１５】
技術的な見地から、この、サイドミラーおよび自動車ガラス用空気システムは、それ自体の展開特性を組み込んでいる。当該展開特性の中で、運転者に提供されるその機能性、実用性、低価格および安全性は、強調されるべきである。
【００１６】
結論
上記説明および図に基づくと、本発明がサイドミラーおよび自動車ガラス用空気システムに組み入れられる技術的機構を対象とする。当該技術的機構は、特に、本発明が、今までみたことがない技術的機構および特性を組み入れいることを考慮すると、実用新案に対して確立された要件に適合するものの範囲内に全面的に含めることができるものであり、市場における大きな隙間を埋めるものであることを確認することができ、本明細書において要求された特権を受ける資格がある。
【図１】
2015527249.tif 000002
【国際調査報告】
2015527249.tif 000003
2015527249.tif 000004
2015527249.tif 000005
2015527249.tif 000006